(57)【要約】【課題】同一の物品を複数の注文主により受注したとき、効率よい納品と最適な在庫の管理を行うことができるインターネットによる物品流通・在庫管理システムを提供する。【解決手段】物品ｂを注文する複数からなる注文主１と、この注文主の物品の注文を受けて該物品を用意する納品者２とからなり、これら注文主と納品者とを、通信手段３ａ，３ｂ，３ｃによりインターネット４を介してホストコンピュータ５へ接続させてあり、物品の発注と受注とは、通信手段を介してインターネット上でそれぞれ行う。【選択図】    図１
2004250166.tif 000002
【特許請求の範囲】
【請求項１】
一種類または複数種類の物品を注文する複数からなる注文主と、この注文主の物品の注文を受けて該物品を用意する納品者とからなり、これら注文主と納品者とを、通信手段によりインターネットを介してホストコンピュータへ接続させてあり、前記物品の発注と受注とは、前記通信手段を介して前記インターネット上でそれぞれ行うものであって、
前記納品者は、前記それぞれの注文主からの申告により、あらかじめ定められた在庫数となる物品数を前記ホストコンピュータへ登録しておき、
前記ホストコンピュータでは、前記在庫数となる物品数をそれぞれの物品ごとに集計して全体の在庫情報として格納すると共に、前記納品者は、前記全体の在庫情報に該当する物品数を在庫として用意しておき、
前記登録された前記注文主個々の在庫数となる物品数とその全体の在庫情報とは、前記注文主と前記納品者とが、前記インターネットを介して閲覧できるようにさせてあり、
前記注文主個々の在庫数となる物品数は、他の注文主が閲覧できるようにさせてあり、
前記注文主の物品の発注は、前記インターネット上で閲覧できる前記全体の在庫情報に対して行えることを特徴とするインターネットによる物品流通・在庫管理システム。
【請求項２】
一種類または複数種類の物品を注文する複数からなる注文主と、この注文主の物品の注文を受けて該物品を用意する納品者とからなり、これら注文主と納品者とを、通信手段によりインターネットを介してホストコンピュータへ接続させてあり、前記物品の発注と受注とは、前記通信手段を介して前記インターネット上でそれぞれ行うものであって、
前記納品者は、前記注文主の物品発注に対応する物品や納期内容等の情報が、前記ホストコンピュータに格納させてあり、
前記注文主は、前記ホストコンピュータに格納された情報を前記インターネットを介して閲覧し、物品の発注を行うもので、
前記納品者は、前記注文主の物品発注に伴って、前記ホストコンピュータからの指示により、該物品の発注に見合う注文生産によって物品を納品することを特徴とするインターネットによる物品流通・在庫管理システム。
【請求項３】
一種類または複数種類の物品を注文する複数からなる注文主と、この注文主の物品の注文を受けて該物品を用意する納品者とからなり、これら注文主と納品者とを、通信手段によりインターネットを介してホストコンピュータへ接続させてあり、前記物品の発注と受注とは、前記通信手段を介して前記インターネット上でそれぞれ行うものであって、
前記納品者は、前記注文主からの受注予定の物品情報を前記ホストコンピュータへ登録しておき、
前記複数の注文主は、既に前記納品者から納品されて所有する前記物品の実在庫数を、それぞれに前記ホストコンピュータへ登録しておき、前記注文主と前記納品者とが、前記ホストコンピュータに格納された前記各情報を前記インターネットを介して閲覧できるようにさせてあり、
前記注文主が前記物品を注文するとき、
前記他の複数の注文主が所有する前記実在庫から発注して納品させることを特徴とするインターネットによる物品流通・在庫管理システム。
【発明の詳細な説明】
【０００１】
本発明は、同一の物品を複数の注文主により受注して、効率よい納品と最適な在庫の管理を行うことができるインターネットによる物品流通・在庫管理システムに関する。
【０００２】
【従来の技術】
従来、例えば、異なる所在地に対してそれぞれ複数の支店を有する企業などにあって、例えば、複数からなる各支店共通の印刷物をそれぞれの支店に納入した際には、各支店においてそれぞれの印刷物の消費量が異なってその在庫数にバラツキを生ずることが度々起きる。
すなわち、例えば、Ａ支店のｂ印刷物は大量の在庫を有しているが、Ｃ支店のｂ印刷物は既に在庫数が余りない、といった現象が生ずる。
【０００３】
こんなとき、これら各支店においては、その印刷物の企業全体の在庫数を掌握することができないので、やむなく、支店個別により不足した印刷物を印刷所に発注し不足物の補填を行っていた。
【０００４】
そのため、他の支店においては、当該印刷物は大量の在庫があるのにもかかわらず、在庫実体が不明のため、新規にその印刷物の発注をするので、企業全体では大きな無駄を生じさせることがあった。
【０００５】
また、余り消費されない印刷物が大量にある支店にあっては、その在庫印刷物の保管に大きなスペースを使い、そのスペースの無駄となるものであった。
【０００６】
【発明が解決しようとする課題】
本発明は、前記した問題点を解決するためになされたもので、一種類または複数種類の物品を注文する複数からなる注文主と、この注文主の物品の注文を受けて該物品を用意する納品者とからなり、これら注文主と納品者とを、通信手段によりインターネットを介してホストコンピュータへ接続させてあり、前記物品の発注と受注とは、前記通信手段を介して前記インターネット上でそれぞれ行うことにより、同一の物品を複数の注文主により受注したとき、効率よい納品と最適な在庫の管理を行うことができるインターネットによる物品流通・在庫管理システムを提供することを目的としている。
【０００７】
【課題を解決するための手段】
前記した目的を達成するための本発明の手段は、
一種類または複数種類の物品を注文する複数からなる注文主と、この注文主の物品の注文を受けて該物品を用意する納品者とからなり、これら注文主と納品者とを、通信手段によりインターネットを介してホストコンピュータへ接続させてあり、前記物品の発注と受注とは、前記通信手段を介して前記インターネット上でそれぞれ行うものであって、
前記納品者は、前記それぞれの注文主からの申告により、あらかじめ定められた在庫数となる物品数を前記ホストコンピュータへ登録しておき、
前記ホストコンピュータでは、前記在庫数となる物品数をそれぞれの物品ごとに集計して全体の在庫情報として格納すると共に、前記納品者は、前記全体の在庫情報に該当する物品数を在庫として用意しておき、
前記登録された前記注文主個々の在庫数となる物品数とその全体の在庫情報とは、前記注文主と前記納品者とが、前記インターネットを介して閲覧できるようにさせてあり、
前記注文主個々の在庫数となる物品数は、他の注文主が閲覧できるようにさせてあり、
前記注文主の物品の発注は、前記インターネット上で閲覧できる前記全体の在庫情報に対して行えるインターネットによる物品流通・在庫管理システムにある。
【０００８】
一種類または複数種類の物品を注文する複数からなる注文主と、この注文主の物品の注文を受けて該物品を用意する納品者とからなり、これら注文主と納品者とを、通信手段によりインターネットを介してホストコンピュータへ接続させてあり、前記物品の発注と受注とは、前記通信手段を介して前記インターネット上でそれぞれ行うものであって、
前記納品者は、前記注文主の物品発注に対応する物品や納期内容等の情報が、前記ホストコンピュータに格納させてあり、
前記注文主は、前記ホストコンピュータに格納された情報を前記インターネットを介して閲覧し、物品の発注を行うもので、
前記納品者は、前記注文主の物品発注に伴って、前記ホストコンピュータからの指示により、該物品の発注に見合う注文生産によって物品を納品するインターネットによる物品流通・在庫管理システムにある。
【０００９】
一種類または複数種類の物品を注文する複数からなる注文主と、この注文主の物品の注文を受けて該物品を用意する納品者とからなり、これら注文主と納品者とを、通信手段によりインターネットを介してホストコンピュータへ接続させてあり、前記物品の発注と受注とは、前記通信手段を介して前記インターネット上でそれぞれ行うものであって、
前記納品者は、前記注文主からの受注予定の物品情報を前記ホストコンピュータへ登録しておき、
前記複数の注文主は、既に前記納品者から納品されて所有する前記物品の実在庫数を、それぞれに前記ホストコンピュータへ登録しておき、前記注文主と前記納品者とが、前記ホストコンピュータに格納された前記各情報を前記インターネットを介して閲覧できるようにさせてあり、
前記注文主が前記物品を注文するとき、
前記他の複数の注文主が所有する前記実在庫から発注して納品させるインターネットによる物品流通・在庫管理システムにある。
【００１０】
【発明の実施の形態】
次に、本発明に関するインターネットによる物品流通・在庫管理システム（インターネットによる物品流通・在庫管理方法）の実施の一例を図面に基づいて説明する。
図１〜図５は、本発明実施例のインターネットによる物品流通・在庫管理システム（インターネットによる物品流通・在庫管理方法）Ａの基本的なフローシートを示す一例であり、物品ｂを注文する複数からなる注文主１ａ，１ｂ，１ｃ，１ｄ，１ｅ，１ｆ…と、この注文主１ａ，１ｂ，１ｃ，１ｄ，１ｅ，１ｆ…の物品ｂの注文を受けて該物品ｂを用意する納品者２とからなり、これら注文主１ａ，１ｂ，１ｃ，１ｄ，１ｅ，１ｆ…と納品者２とを、通信手段３ａ，３ｂ，３ｃによりインターネット４を介してホストコンピュータ５へ接続させてあり、注文主１ａ，１ｂ，１ｃ，１ｄ，１ｅ，１ｆ…の物品ｂの発注と、納品者２の受注とは、通信手段３ａ，３ｂ，３ｃを介してインターネット４上の閲覧画面（ホームページ）でそれぞれ行うものである。
【００１１】
前記した通信手段３ａ，３ｂ，３ｃは、注文主１ａ，１ｂ，１ｃ，１ｄ，１ｅ，１ｆ…と納品者２とが有するパーソナルコンピュータなどのコンピュータや携帯端末機などとを、有線や無線等を利用して接続し、電気的信号の双方向通信（上りと下りの信号のやり取り）ができる手段である。
【００１２】
また、前記したインターネット４は、通信手段３ａ，３ｂ，３ｃを介して情報通信ネットワークが構築されたものであって、ＷＷＷや電子メール，ＦＴＰ（ファイル転送），ネットニューズ（掲示板・公開議論場），ＴＥＬＮＥＴ（他の計算機資源へのアクセス），ファイル検索，情報検索，データーベース検索などのサービスである。
【００１３】
前記したホストコンピュータ５は、インターネット４によりネットワークを構築する際に使用されるもので、一般的にはサーバマシンあるいはサーバ専用機等と呼ばれるものである。
このホストコンピュータ５は、納品者２の管理下（メンテナンス等も含める）にあることが好ましいが、注文主１側に設置したものや、他のレンタルサーバなどを利用しても良い。
【００１４】
そして、本発明実施例における第一実施例は、インターネットによる物品流通・在庫管理システム（インターネットによる物品流通・在庫管理方法）Ａにあって、納品者２は、それぞれの注文主１ａ，１ｂ，１ｃ，１ｄ，１ｅ，１ｆ…からの申告により、あらかじめ定められた在庫数となる物品数をホストコンピュータ５へ登録しておき、該ホストコンピュータ５では、前記在庫数となる物品数をそれぞれの物品ｂ，ｂ…ごとに集計して全体の在庫情報として格納すると共に、納品者２は、前記全体の在庫情報に該当する物品数を倉庫２０へ在庫として用意しておき、前記登録された注文主１ａ，１ｂ，１ｃ，１ｄ，１ｅ，１ｆ…個々の在庫数となる物品数とその全体の在庫情報とは、注文主１ａ，１ｂ，１ｃ，１ｄ，１ｅ，１ｆ…と納品者２とが、インターネット４を介して閲覧できるようにさせてあり、注文主１ａ，１ｂ，１ｃ，１ｄ，１ｅ，１ｆ…個々の在庫数となる物品数は、他の注文主１ａ，１ｂ，１ｃ，１ｄ，１ｅ，１ｆ…が閲覧できるようにさせてあり、注文主１ａ，１ｂ，１ｃ，１ｄ，１ｅ，１ｆ…の物品ｂの発注は、インターネット４上で閲覧できる前記全体の在庫情報に対して行えるもの
【００１５】
更に、図２〜図３を参照して詳述すれば、物品ｂを印刷物とし、注文主１ａ，１ｂ，１ｃ，１ｄ，１ｅ，１ｆ…を企業１における各支店とし、納品者２を印刷所としたとき、企業１における各支店１ａ，１ｂ，１ｃ，１ｄ，１ｅ，１ｆ…においては、図２に示すように、印刷物ｂの注文数を、実際に直ちに必要とする注文数より多い数で、所定の在庫を生ずるように設定した在庫標準数６の情報を個々に納品者２に対して行う。
なお、前記したあらかじめ設定した在庫標準数６は、個々の各支店１ａ，１ｂ，１ｃ，１ｄ，１ｅ，１ｆ…において任意に設定できるものであり、この在庫標準数６を有することで、急の印刷物ｂの発注や各支店１ａ，１ｂ，１ｃ，１ｄ，１ｅ，１ｆ…からの集中した発注があっても直ちに印刷物納品に対応することができ、かつ、過剰な物品在庫を抑えることができるものである。
在庫標準数６は、個々の各支店１ａ，１ｂ，１ｃ，１ｄ，１ｅ，１ｆ…ごと、前年度等の実績から比較的容易に得ることができるもので、その数値が算出根拠となりやすい。
【００１６】
これら在庫標準数６は、納品者２側において、インターネット４に通信手段３ｃを介して接続されたホストコンピュータ５へ送信され、所定の記憶処理や演算処理等がなされて各支店１ａ，１ｂ，１ｃ，１ｄ，１ｅ，１ｆ…ごとに個々に格納される。
また、このホストコンピュータ５にあっては、納品者２側において、印刷物ｂごとに品名や型番，形態，価格などの情報も合わせて入力されており、各印刷物ｂ１，ｂ２，ｂ３…ごとに集計されて全体の在庫情報７としてホストコンピュータ５に記憶されるもので、注文主１ａ，１ｂ，１ｃ，１ｄ，１ｅ，１ｆ…と納品者２とがインターネット４上に展開される閲覧画面（ホームページ）上において閲覧し確認することができる。当然、他の各支店１ａ，１ｂ，１ｃ，１ｄ，１ｅ，１ｆ…の在庫標準数６も閲覧することができる。
【００１７】
また、納品者２にあっては、前記集計された全体の在庫情報７に基づいて、各印刷物ｂ１，ｂ２，ｂ３…ごとにその全体の在庫情報数分の生産を行い、倉庫２０へそれぞれ保管しておく。
【００１８】
この状態において、通信手段３ａにより、インターネット４上の閲覧画面（ホームページ）において、在庫標準数６や全体の在庫情報７を閲覧しつつ、例えば、図３に示すように、企業１における支店１ａが印刷物ｂ１を２個、支店１ｂが印刷物ｂ２を３個とのように、それぞれの実際に直ちに必要とする注文数をインターネット４上の閲覧画面（ホームページ）において発注すると、これら発注情報は、インターネット４から通信手段３ｃを介してホストコンピュータ５へ送られ、直ちに、ホストコンピュータ５によって受注を確認した情報８が通信手段３ａを介して電子メール等により送られる。
支店１ａ，１ｂにあって、閲覧画面（ホームページ）において自己が必要とする物品ｂにあって、その最短の納期と一回の納品によって得られる物品ｂの数が表示されるため、発注前において、最適な印刷物ｂの量を知ることができる。
更に、現在、このシステムＡ上においては、各支店ごとや企業全体において、どのような受注状態であるのか、あるいは、各印刷物ｂの在庫量はどんな状態であるかが、リアルタイムで、インターネット４上の閲覧画面（ホームページ）において閲覧することができる。
【００１９】
同時に、ホストコンピュータ５が通信手段３ｃを介し、インターネット４を経由して印刷所２へ、支店１ａと支店１ｂとによる印刷物ｂ１と印刷物ｂ２との受注内容情報９が送信されるもので、該印刷所２は、この情報に基づいて、それぞれの支店１ａおよび支店１ｂに対して、倉庫２０に保管してある印刷物から印刷物ｂ１および印刷物ｂ２を所定の物流手段１０により納品することで、一連の印刷物ｂの受注から納品までの作業が終了する。
【００２０】
したがって、注文主１である企業の各支店１ａ，１ｂ，１ｃ，１ｄ，１ｅ，１ｆ…および納品者２が各印刷物ｂごと、倉庫２０に存在するその在庫数がリアルタイムで情報として得ることができて、各支店１ａ，１ｂ，１ｃ，１ｄ，１ｅ，１ｆ…の無駄な在庫が削減され、その管理のためのスペースとコストを抑えることができる。
注文する物品ｂは必要なとき、必要な場所へ、必要な分だけ納品することができて、企業全体の在庫管理が容易となると共に企業全体の最適な在庫量で済み、かつ、効率的に行うことができる。
【００２１】
更に、企業の全体を統括する部署においては、各印刷物ｂの流れを、本発明第一実施例のインターネットによる物品流通・在庫管理システムＡにより把握することができる。
【００２２】
なお、各支店１ａ，１ｂ，１ｃ，１ｄ，１ｅ，１ｆ…の発注によって在庫数が減少した分は、在庫が０にならない程度に、かつ、過剰在庫とならない程度に適宜算出した在庫全体のボーダーラインに達したとき、納品者２は、その必要数の物品ｂを生産し、前記全体の在庫情報７となるように倉庫２０へ格納し保管しておく。この追加在庫したものは、その物品名や数などの所定情報を納品者２側において、通信手段３ｃを介し、インターネット４を経由してホストコンピュータ５に、その情報が入力され登録されて、直ちに、インターネット４で閲覧画面（ホームページ）上において、注文主１と納品者２とが該内容を確認できる状態となる。
【００２３】
次に、本発明実施例における第二実施例は、インターネットによる物品流通・在庫管理システム（インターネットによる物品流通・在庫管理方法）Ａにあって、納品者２は、注文主１の物品発注に対応する物品ｂや納期内容等の情報を、ホストコンピュータ５に格納させてあり、注文主１は、ホストコンピュータ５に格納された情報をインターネット４を介して閲覧し、物品ｂの発注を行うもので、納品者２は、注文主１の物品発注に伴って、ホストコンピュータ５からの指示により、該物品ｂの発注に見合う注文生産によって物品ｂを納品するものである。
【００２４】
更に、図４を参照して詳述すれば、物品ｂを印刷物とし、注文主１ａ，１ｂ，１ｃ，１ｄ，１ｅ，１ｆ…を企業１における各支店とし、納品者２を印刷所としたとき、企業１における各支店１ａ，１ｂ，１ｃ，１ｄ，１ｅ，１ｆ…（納品者２の場合もある）においては、まず、事前に、必要とする印刷物ｂの種類等の情報をホストコンピュータ５に入力し登録しておく。
そして、納品者２は、前記必要とする印刷物ｂの種類等の情報、すなわち、納品すべき各物品ｂに対して、納品者２が納品できる数と納期について、ホストコンピュータ５に入力し登録しておくことで、インターネット４上の閲覧画面（ホームページ）において前記情報が納品者２はもちろんのこと各支店１ａ，１ｂ，１ｃ，１ｄ，１ｅ，１ｆ…において確認できる。
【００２５】
この状態において、例えば、図４に示すように、通信手段３ａにより、インターネット４上の閲覧画面（ホームページ）を選択すると、企業１における支店１ａ，１ｂが必要とする印刷物ｂに対する情報が該閲覧画面（ホームページ）において確認できる。
【００２６】
したがって、前記閲覧画面（ホームページ）に表示を見て、必要な印刷物ｂの注文があれば、それぞれが支店１ａが印刷物ｂ１を２個、支店１ｂが印刷物ｂ２を３個とのように、それぞれの実際に直ちに必要とする注文数をインターネット４上の閲覧画面（ホームページ）において発注すると、これら発注情報は、インターネット４から通信手段３ｃを介してホストコンピュータ５へ送られ、直ちに、ホストコンピュータ５によって受注を確認した情報８が通信手段３ａを介して電子メール等により送られる。
更に、現在、このシステムＡ上においては、企業１全体においてあるいは各支店においてどのような受注状態であるのかが、リアルタイムで、インターネット４上の閲覧画面（ホームページ）において閲覧することができる。
【００２７】
同時に、ホストコンピュータ５が通信手段３ｃを介し、インターネット４を経由して印刷所２へ、支店１ａと支店１ｂとによる印刷物ｂ１と印刷物ｂ２との受注内容情報９が送信されるもので、該印刷所２は、この情報に基づいて、支店１ａおよび支店１ｂの注文に相当する印刷物１ａ，１ｂを生産する、いわゆる、オンデマンド印刷（注文生産方式の印刷形態）により行う。
印刷されれば、それぞれの支店１ａおよび支店１ｂに対して印刷物ｂ１および印刷物ｂ２を所定の物流手段１０により納品することで、一連の印刷物ｂの受注から納品までの作業が終了する。
【００２８】
したがって、注文主１である企業の各支店１ａ，１ｂ，１ｃ，１ｄ，１ｅ，１ｆ…および納品者２が各物品ｂごとその在庫数がリアルタイムで情報として得ることができて、各支店１ａ，１ｂ，１ｃ，１ｄ，１ｅ，１ｆ…の無駄な在庫が削減され、その在庫のためのスペースとコストを抑えることができる。
注文する印刷物ｂは必要なとき、必要な場所へ、必要な分だけ納品することができて、企業全体の在庫管理が容易となると共に、企業全体の最適な在庫量で済み、かつ、効率的に行うことができる。
【００２９】
特に、インターネット４上の閲覧画面（ホームページ）においては、あたかも在庫があるように物品ｂの種類や数量が表示されるが、実際は、決められた納期に納めることが可能な物品ｂの種類や数量が表示されているだけで、物品ｂの在庫は存在しないし倉庫も存在しない。いわゆる、注文があった後、オンデマンド印刷を行うことで管理費用が大幅に節減でき、結果、物品ｂの価格も抑えることができる。
【００３０】
次に、本発明実施例における第三実施例は、インターネットによる物品流通・在庫管理システム（インターネットによる物品流通・在庫管理方法）Ａにあって、納品者２は、注文主１からの受注予定の物品情報をホストコンピュータ５へ登録しておき、複数の注文主１は、既に納品者２から納品されて所有する物品ｂの実在庫数を、それぞれにホストコンピュータ５へ登録しておき、注文主１と納品者２とが、ホストコンピュータ５に格納された各情報をインターネット５を介して閲覧できるようにさせてあり、注文主１が物品ｂを注文するとき、他の複数の注文主１が所有する実在庫から発注して納品させるものである。
この実在庫とは、各支店１ａ，１ｂ，１ｃ，１ｄ，１ｅ，１ｆ…ごとに手元においた実際の物品ｂの現物や、所定の倉庫に保管させた実際の物品ｂであり、これら各支店１ａ，１ｂ，１ｃ，１ｄ，１ｅ，１ｆ…の全体または一部支店分を注文主１側が管理する倉庫に保管させたりするものである。
【００３１】
更に、図５を参照して詳述すれば、物品ｂを印刷物とし、注文主１ａ，１ｂ，１ｃ，１ｄ，１ｅ，１ｆ…を企業１における各支店とし、納品者２を印刷所としたとき、納品者２または企業１における各支店１ａ，１ｂ，１ｃ，１ｄ，１ｅ，１ｆ…は、該各支店１ａ，１ｂ，１ｃ，１ｄ，１ｅ，１ｆ…からの最初の印刷物ｂの注文があった種類や数などの各情報を、通信手段３ａによりインターネット４を介して閲覧画面（ホームページ）上からホストコンピュータ５に入力し登録しておく。
【００３２】
このとき、各支店１ａ，１ｂ，１ｃ，１ｄ，１ｅ，１ｆ…は、実際にかつ直ちに必要とする印刷物ｂの数量より余分に、すなわち、手元において在庫が生ずる数の印刷物ｂを注文し、その余った数分は在庫として、それぞれ注文した各支店１ａ，１ｂ，１ｃ，１ｄ，１ｅ，１ｆ…において個々に保管しておく。
また、在庫してある印刷物ｂの、その使用ごとに在庫が減少するもので、各支店１ａ，１ｂ，１ｃ，１ｄ，１ｅ，１ｆ…は、その変動した数値は、直ちに、インターネット４を介して閲覧画面（ホームページ）上からホストコンピュータ５に入力し登録しておく。そのため、各支店１ａ，１ｂ，１ｃ，１ｄ，１ｅ，１ｆ…は、通信手段３ａにより、インターネット４上の閲覧画面（ホームページ）を選択すると、該各支店１ａ，１ｂ，１ｃ，１ｄ，１ｅ，１ｆ…の在庫している印刷物ｂに対する情報が該閲覧画面（ホームページ）において確認できる。
【００３３】
したがって、例えば、支店１ａにおいて、必要な印刷物ｂの注文があれば、前記閲覧画面（ホームページ）の表示を見て、該支店１ａ以外の他の支店１ｂ，１ｃ，１ｄ，１ｅ，１ｆ…の在庫している印刷物ｂを把握し、自己が必要とする印刷物ｂとその在庫数が適合し、かつ、自己の支店１ａへの納品に最適な支店（例えば、支店１ｂ）を選定し、この支店１ｂの当該印刷物ｂの移動を、この所定の閲覧画面（ホームページ）から指示する。
この指示の情報が、インターネット４から通信手段３ｃを介してホストコンピュータ５へ送られ、直ちに、ホストコンピュータ５によって受注を確認し移動を指示した情報８が通信手段３ａを介して電子メール等により、支店１ａが選定した支店１ｂへ送られる。
【００３４】
支店１ｂは、この移動指示情報８に基づいて、要求された印刷物ｂの要求された数量分を所定の物流手段１０により納品することで、一連の印刷物ｂの受注から納品までの作業が終了する。
【００３５】
同時に、支店１ａおよび支店１ｂは印刷物ｂが移動した情報を、通信手段３ａを介し、インターネット４を経由してホストコンピュータ５へ送信され、該ホストコンピュータ５においては演算や記憶処理によって、既に登録されている情報を変更するもので、インターネット４における閲覧画面（ホームページ）上では、直ちに、変更された新しい情報を閲覧することができ、次の注文に対応することができる。
【００３６】
したがって、注文主１である企業の各支店１ａ，１ｂ，１ｃ，１ｄ，１ｅ，１ｆ…および納品者２が各物品ｂごとその在庫数がリアルタイムで情報として得ることができて、各支店１ａ，１ｂ，１ｃ，１ｄ，１ｅ，１ｆ…の無駄な在庫が削減され、その在庫のためのスペースとコストを抑えることができる。
注文する印刷物ｂは必要なとき、必要な場所へ、必要な分だけ納品することができて、企業全体の在庫管理が容易となると共に、企業全体の最適な在庫量で済み、かつ、効率的に行うことができる。
【００３７】
特に、各支店別に管理していた印刷物ｂの在庫数をインターネット４上で把握することができるため、不透明となりやすい印刷物在庫の所在が明確となり、重複した発注や廃棄のロスを大幅に削減することができる。また、支店間の印刷物の移動もインターネット上の閲覧画面（ホームページ）から直接指示することができる。
【００３８】
更に、印刷物ｂの管理が、例えば、企業１におけるセンター１１において統括的に行うことができ、かつ、このセンター１１から閲覧画面（ホームページ）上の情報を見ながら、各支店の印刷物ｂの注文を一度に行うことができる。
【００３９】
【発明の効果】
本発明は、インターネットにおける閲覧画面（ホームページ）上において、複数の注文主の注文情報が公開されるので、それぞれに関連のある各注文主は、閲覧画面（ホームページ）で自己の必要な物品の在庫数を知ることができて、物品の納品を無駄なく効率よく行うことができ、しかも、過剰な在庫の必要がなく、物品在庫のためのスペースとコストをできるだけ削減させることができる。
【図面の簡単な説明】
【図１】本発明に関するインターネットによる物品流通・在庫管理システムの概略を示す説明図である。
【図２】本発明に関するインターネットによる物品流通・在庫管理システムの第一実施例を示すもので、注文主の注文工程の概略の説明図である。
【図３】図２におけるインターネットによる物品流通・在庫管理システムの物品の流れを示す概略の説明図である。
【図４】本発明に関するインターネットによる物品流通・在庫管理システムの第二実施例を示す概略の説明図である。
【図５】本発明に関するインターネットによる物品流通・在庫管理システムの第三実施例を示す概略の説明図である。
【符号の説明】
Ａ…インターネットによる物品流通・在庫管理システム．ｂ…物品．１（１ａ，１ｂ，１ｃ，１ｄ，１ｅ，１ｆ）…注文主．２…納品者．３ａ，３ｂ，３ｃ…通信手段．４…インターネット．５…ホストコンピュータ．
【図１】
2004250166.tif 000003
【図２】
2004250166.tif 000004
【図３】
2004250166.tif 000005
【図４】
2004250166.tif 000006
【図５】
2004250166.tif 000007